(57)【要約】【課題】  キー操作機器のケーシングの上壁とキーシートとの間に侵入する水がこれらの接触面の間を伝わってケーシングの縁に入り込むのを防止する。【解決手段】  複数のキートップ１２を薄肉フレキシブル部１４Ｆを介して一体に設けられたキーシート１４とキートップ１２の下降に応動して動作するスイッチ素子を含む回路基板１６とがケーシング１８内に収納され、キーシート１４とケーシング１８の上壁１８Ｕとの接触面の間に圧縮状態で挟まれている防水用弾性シート３２を有する。【選択図】        図３
2005183159.tif 000002
【特許請求の範囲】
【請求項１】
複数のキートップが薄肉フレキシブル部を介して一体に設けられたキーシートと前記キートップに対応する位置にあって前記キートップの下降動作に応動するスイッチ素子を含む回路基板と前記キーシートと前記回路基板とを収納し前記キーシートの各キートップが露呈するようにキートップが貫入するキー孔を有する裏蓋付きケーシングとから成るキー操作機器において、前記キーシートと前記ケーシングの上壁との接触面の間に圧縮状態で挟まれている防水用弾性シートから成る防水手段を備えていることを特徴とするキー操作機器。
【請求項２】
請求項１に記載のキー操作機器であって、前記防水用弾性シートは、前記キーシートのキー孔に相応するキー孔と前記ケーシングの上壁と前記キーシートとの間の接触面に挟まれる接触領域とを有し、前記防水手段は、前記回路基板と前記ケーシングの裏蓋との間に配置されて前記防水シートを前記ケーシングの上壁と前記キーシートとの間で圧縮状態に維持するスペーサを更に含んでいることを特徴とするキー操作機器。
【発明の詳細な説明】
【技術分野】
【０００１】
本発明は、例えば、キースイッチを介して暗証番号を入力することによって玄関の鍵を電子的に開閉する機器の如きキー操作によって動作されるキー操作機器に関し、特に屋外に設置されてキー操作によって使用される機器の内部に水が侵入するのを防止することができるキー操作機器に関するものである。
【背景技術】
【０００２】
玄関のドア等の鍵を暗証番号の入力によって開閉する種々のドア開閉方式が提案されている（特許文献１参照）。この種のドア開閉方式は、暗証番号を入力するために多数のキースイッチを有するキー操作機器を必要とする。
【０００３】
この種のキー操作機器は、一般に、複数のキートップが薄肉フレキシブル部を介して一体に設けられたキーシートと、このキートップに対応する位置にあってキートップの下降動作に応動するスイッチ素子を含む回路基板と、キーシートと回路基板とを収納しキーシートの各キートップが露呈するようにキートップが貫入するキー孔を有するケーシングとから成っている。
【０００４】
一般に、屋外設置型に限らず、キー操作機器は、ケーシング内部に水が侵入するのを防止する防水手段を有するが、従来技術の防水手段は、ケーシングの上部部材と下部部材との間から水が侵入することがないようにケーシングの縁で防水するように構成されている（特許文献２参照）。
【０００５】
この構造の防水手段は、ケーシングの上部部材と下部部材との間から水が侵入するのを防止することができるが、ケーシングのキー孔からケーシングの上壁とキーシートの間に侵入する水がケーシングの上壁とキーシートとの間の接触面に沿って徐々にケーシングの縁に進み、ケーシングの防水手段の内側でケーシング内部に侵入する虞がある。
【０００６】
【特許文献１】特開２０００−２６５７１９号公報
【特許文献２】特開平７−１８３６６７号公報
【発明の開示】
【発明が解決しようとする課題】
【０００７】
本発明が解決しようとする課題は、ケーシングの上壁とキーシートとの間に侵入する水がこれらの接触面の間を伝わってケーシングの縁に入り込むのを有効に防止することができるキー操作機器を提供することにある。
【課題を解決するための手段】
【０００８】
本発明の課題解決手段は、複数のキートップが薄肉フレキシブル部を介して一体に設けられたキーシートと、このキートップに対応する位置にあってキートップの下降動作に応動するスイッチ素子を含む回路基板と、キーシートと回路基板とを収納しキーシートの各キートップが露呈するようにキートップが貫入するキー孔を有する裏蓋付きケーシングとから成るキー操作機器において、キーシートとケーシングの上壁との接触面の間に圧縮状態で挟まれている防水用弾性シートから成る防水手段を備えていることを特徴とするキー操作機器を提供することにある。
【０００９】
本発明の課題解決手段において、防水用弾性シートは、キーシートのキー孔に相応するキー孔とケーシングの上壁とキーシートとの間の接触面に挟まれる接触領域とを有し、防水手段は、回路基板とケーシングの裏蓋との間に配置されて防水シートをケーシングの上壁とキーシートとの間で圧縮状態に維持するスペーサを更に含んでいるのが好ましい。
【発明の効果】
【００１０】
本発明によれば、キー操作機器の防水手段は、キーシートとケーシングの上壁との接触面の間に圧縮状態で挟まれている防水用弾性シートから成っているので、ケーシングのキー孔から入り込む水は、ケーシングの上壁とキーシートとの全接触面で挟まれている防水用弾性シートによってケーシングの上壁とキーシートとの間の接触面の間を伝わってケーシングの縁に向けて進行することがなく、従ってキーシートの下方にある回路基板等が浸水することがないので、キー操作機器の防水性を向上することができる。
【発明を実施するための最良の形態】
【００１１】
本発明の実施の形態を図面を参照して詳細に述べると、図１乃至図６は、本発明に係わるキー操作機器１０を示し、図示の例では、このキー操作機器は、例えば、玄関のドアを暗証番号の入力によって開閉操作するのに用いられる暗証番号入力機器であるのが示されているが、他の任意のキー操作機器にも本発明を適用することができることを理解すべきである。
【００１２】
このキー操作機器１０は、複数のキートップ１２が薄肉フレキシブル部１４Ｆを介して一体に設けられたキーシート１４（図２（Ｂ）参照）と、このキーシート１４の各キートップ１２に対応する位置にあって相応するキートップ１２の下降動作に応動する図示しないスイッチ素子を含む回路基板１６（図２（Ｄ）参照）と、キーシート１４と回路基板１６とを収納する裏蓋付きケーシング１８（図２（Ａ）及び図２（Ｅ）参照）とから成っている。
【００１３】
図示の形態では、キートップ１２は、「０」乃至「９」の数字キー１２Ｎと２つのファンクションキー１２Ｆとの合計１２ヶのキーから成り、これらのキーは、３列に並べて各列毎に４つ配列している（図１参照）。
【００１４】
ケーシング１８は、図２（Ａ）に示すように、裏側が開放して上壁１８Ｕと周壁１８Ｐとを有する長方形の箱の形態を有し、上壁１８Ｕにはキーシート１４の各キートップが露呈するようにキートップ１２がそれぞれ貫入するキー孔２０を有する。従って、キートップ１２は、キー孔２０から露呈する頂部を指で押し下げることができ、各キートップ１２に対応して回路基板１６に一体に接続された相応するスイッチ素子を操作することができる。
【００１５】
ケーシング１８の下方開口１８Ｏは、裏蓋１８Ｂによって閉じられるが、この裏蓋１８Ｂは、図２（Ｅ）に示すように、ケーシング１８の周壁１８Ｐのうち縦周壁１８ＰＬの内側に係合する縦壁１８ＢＬを有する。従ってケーシング１８は、この裏蓋１８Ｂを閉じた状態では周壁１８Ｐの横周壁１８ＰＷによって裏蓋１８Ｂが上下方向に変位するのを拘束している。
【００１６】
図２（Ａ）及び図３に示すように、ケーシング１８は、その横周壁１８ＰＷの内側にねじ筒２２を有し、裏蓋１８Ｂは、そのねじ貫通孔２４を貫通する図示しない止めねじをねじ筒２２にねじ込んで裏蓋１８Ｂをケーシング１８の本体部分に固定される。
【００１７】
回路基板１６は、表側でキーシート１４のキートップ１２に対応して図示しないスイッチ素子が一体に接続されて固定されており、また図２（Ｄ）に示すように、図示しないケーブルの平面差込端子が差し込まれてキー操作機器１０からの信号を外部に取出す基板端子３０を有する。スイッチ素子は、キーシート１４の対応するキートップ１２の押し下げによって開閉して外部に信号を発生する機能を有する。
【００１８】
本発明のキー操作機器１０は、図３乃至図６に示すように、キーシート１４とケーシング１８の上壁１８Ｕとの接触面の間に圧縮状態で挟まれている防水用弾性シート３２から成る防水手段３４を備えている。
【００１９】
防水用弾性シート３２は、図２（Ｃ）、図４乃至図６に示すように、キーシート１４のキートップ１２が貫通するキー孔３６と、ケーシング１８の上壁１８Ｕとキーシート１４との間の接触面に挟まれる面状の接触領域３８とを有する。この接触領域３８は、図２（Ｃ）に示すように、ケーシング１８のキー孔２０を除く上壁１８Ｕ部分、キーシート１４のキートップ１２及び薄肉フレキシブル部１４Ｆを除くシート部分に相応するシート部分から成っている。従って、防水用弾性シート３０の接触領域３８は、ケーシング１８の上壁１８Ｕとキーシート１４の厚肉平面部分との全接触面の間に挟まれている。この防水用弾性シート３２は、例えば、不連続発泡性のプラスティックシートから作られる。
【００２０】
防水手段３４は、回路基板１６とケーシング１８の裏蓋１８Ｂとの間に配置されて防水用弾性シート３２をケーシング１８の上壁１８Ｕとキーシート１４の厚肉平面部分との間で圧縮状態に維持するスペーサ４０を更に備えている。このスペーサ４０は、ゴム等の弾性材料から作られており、裏蓋１８Ｂをケーシング１８の本体にねじ止めした時にスペーサ４０を上方に押し込んで回路基板１６及びキーシート１４を介して防水用弾性シート３２を圧縮し、ケーシング１８の上壁１８Ｕとキーシート１４の厚肉平面部分との接触面間の水密を保っている。
【００２１】
図２（Ｄ）から解るように、このスペーサ４０は、裏蓋１８Ｂの縦壁１８ＢＬ及び回路基板１６の基板端子３０に干渉しない程度でできるだけ大きな面積で回路基板１６と裏蓋１８Ｂとの間に配置されているのが好ましい。
【００２２】
このように、キーシート１４とケーシング１８の上壁１８Ｕとの接触面の間に防水性弾性シート３２を圧縮状態で挟んでいると、ケーシング１８のキー孔２０からケーシング１８内に水が入りんでも、キーシート１４によってそれよりも下方に入り込むことはないが、ケーシング１８の上壁１８Ｕとキーシート１４との全接触面がこの防水用弾性シート３２によって水密が保たれているので、ケーシング１８内に入り込んだ水がケーシング１８の上壁１８Ｕとキーシート１４と接触面の間を通してケーシング１８の縁に向けて進行することがなく、従ってキーシート１４の下方にある回路基板等が浸水することがない。
【００２３】
特に、回路基板１６と裏蓋１８Ｂとの間のスペーサ４０が防水性弾性シート３２を適度の圧縮状態に維持するので、組立て時に高い寸法精度が要求されないから組立てが容易となる。
【産業上の利用可能性】
【００２４】
本発明のキー操作機器は、ケーシングのキー孔から水が入り込んでもこの水はキーシートによって直接内部に侵入することはないし、またケーシングとキーシートの接触面間を横方向に進行することもなく、高い防水性を維持することができるので、屋外設置型のキー操作機器に好適に利用することができる。
【図面の簡単な説明】
【００２５】
【図１】本発明に係わるキー操作機器の上面図である。
【図２】図１のキー操作機器の構成部品を示し、同図（Ａ）は、ケーシングの下面図、同図（Ｂ）は、キーシートの上面図、同図（Ｃ）は、防水性弾性シートの上面図、同図（Ｄ）は、回路基板とスペーサとの組み合わせ状態の下面図、同図（Ｅ）は、裏蓋の上面図である。
【図３】本発明のキー操作機器の一部の図１のＩＩＩ−ＩＩＩ線拡大断面図である。
【図４】本発明のキー操作機器の一部の図１のＩＶ−ＩＶ線拡大断面図である。
【図５】図３で示された部分の一部を一層拡大して示す拡大断面図である。
【符号の説明】
【００２６】
１０  キー操作機器
１２  キートップ
１２Ｎ  数字キー
１２Ｆ  ファンクションキー
１４  キーシート
１６  回路基板
１８  ケーシング
１８Ｕ  上壁
１８Ｐ  周壁
１８ＰＬ  縦周壁
１８ＰＷ  横周壁
１８Ｏ  下方開口
１８Ｂ  裏蓋
１８ＢＬ  縦壁
２０  キー孔
２２  ねじ筒
２４  ねじ貫通孔
３０  基板端子
３２  防水性弾性シート
３４  防水手段
３６  キー孔
３８  接触領域
４０  スペーサ
【図１】
2005183159.tif 000003
【図２】
2005183159.tif 000004
【図３】
2005183159.tif 000005
【図４】
2005183159.tif 000006
【図５】
2005183159.tif 000007